(57)【要約】      （修正有）【課題】簡便で係止の信頼性が高いカートリッジ型フィルタの係止装置を提供する。【解決手段】種々の廃液をろ過するため、円筒状のカートリッジ型フィルタを用いたろ過器のフィルタの係止を簡便に行うもので、筒状で上端側に外周ネジが形成された該フィルタの上端に取付けられるカートリッジ蓋１１と、カートリッジ蓋１１の上部に、外周ネジに螺合するユニオンリング１２を介して上方には抜けないように保持するとともにコイルバネ１３を介して設けた回動可能なキャップ１４と、カートリッジ型フィルタの中空部に設けた該基板に取り付けられたタイロッドに連結された芯棒１５とから構成されている。芯棒１５は、その上端側に螺旋状で終端部は上方へ案内するガイド溝１５ａが複数個形成され、該キャップ１４は、その内面にガイド溝１５ａそれぞれに係合するガイド１４ｃが設けられている。【選択図】図２
0003222460.tif 000002
【実用新案登録請求の範囲】
【請求項１】
基板に円筒状のカートリッジ型フィルタが立設され、該フィルタの外周側へ処理する液を供給するようにしたろ過器におけるカートリッジ型フィルタの係止装置において、筒状で上端側に外周ネジが形成された該フィルタの上端に取付けられるカートリッジ蓋と、該カートリッジ蓋の上部に、該外周ネジに螺合するユニオンリングを介して上方には抜けないように保持された回動可能なキャップと、該カートリッジ蓋に内装された該キャップを付勢するコイルバネと、該フィルタの中空部に設けられたタイロッドに連結された芯棒と、からなり、該芯棒は、その上端側に下方向の螺旋状で終端部は上方へ案内するガイド溝が複数個形成され、該キャップは、その内面に該ガイド溝それぞれに係合するガイドが設けられたことを特徴とするカートリッジ型フィルタの係止装置。
【考案の詳細な説明】
【技術分野】
【０００１】
本考案は、ろ過器におけるカートリッジ型フィルタの係止装置に関するものである。
【背景技術】
【０００２】
メッキの処理水など工業用廃水を清浄な水にするため、容器内に複数の筒状のカートリッジ型フィルタを脱着可能に取り付けたろ過器が知られている。
このろ過器におけるカートリッジ型フィルタは、従来、基板に立設されたタイロッドに中心部が挿通されて係止されており、タイロッドの上端に形成された雌ねじに、該フィルタの上端から該雌ねじに螺合する雄ねじを有するキャップを締め込んで係止していた。
【０００３】
この手段は、簡素な構造で係止の信頼性もあるが、カートリッジ型フィルタの取り付けが緩まないように、ネジのピッチを小さくして、巻数を多くしており、該フィルタの脱着作業に時間がかかるばかりでなく、定期的に増し締めを行わなければならないという問題があった。
そこで、カートリッジ型フィルタの上端を押さえる固定金具に、タイロッドと係止する係止具を設け、コイルバネで付勢させるようにしたものが開発されている（特許文献１参照）。
【先行技術文献】
【特許文献】
【０００４】
【特許文献１】実用新案登録第２６０４８５０号公報
【考案の開示】
【考案が解決しようとする課題】
【０００５】
特許文献１のカートリッジ型フィルタの係止装置は、カートリッジ型フィルタの上端に押え板（第２シール板）を設け、これに下端にフックを備えたハンドルを上下摺動可能に設け、ハンドルをコイルバネのバネ力に抗して押し下げて回転させることによりフックをピンに係止させるようにしている。
【０００６】
しかしながら、フックの着脱は、コイルバネの弾力に抗してキャップを押込み、さらに９０度回転させるという動作を必要とし、この間フックの状態は目視できないので、押込みや回転が不足することが起こりがちで、フックをピンに確実に係止させるには、ある程度の経験を必要とする。
また、カートリッジ型フィルタの交換時は、キャップ、コイルバネ、シールなど部品を分解するので、容器内に落として、紛失することが少なくない。
【０００７】
本考案は、このような点に鑑み開発されたものであり、その目的とするところは、短時間で脱着でき、係止の信頼性が高く、熟練を必要としないカートリッジ型フィルタの係止装置を提供することを目的としている。
【課題を解決するための手段】
【０００８】
本考案のカートリッジ型フィルタの係止装置は、上記の目的を達成するため、次のように構成した。
すなわち、基板に円筒状のカートリッジ型フィルタが立設され、該フィルタの外周側へ処理する液を供給するようにしたろ過器におけるカートリッジ型フィルタの係止装置において、筒状で上端側に外周ネジが形成された該フィルタの上端に取付けられるカートリッジ蓋と、該カートリッジ蓋の上部に、該外周ネジに螺合するユニオンリングを介して上方には抜けないように保持された回動可能なキャップと、該カートリッジ蓋に内装された該キャップを付勢するコイルバネと、該フィルタの中空部に設けられたタイロッドに連結された芯棒と、からなり、該芯棒は、その上端側に下方向の螺旋状で終端部は上方へ案内するガイド溝が複数個形成され、該キャップは、その内面に該ガイド溝それぞれに係合するガイドが設けられたことを特徴としている。
【０００９】
カートリッジ型フィルタは、円筒状のろ材の中心部にポリプロピレンまたはステンレス製の多孔のコアを備えたものや、基板に立設された金属製の多孔の芯管に円筒状のろ材を挿嵌したもの、さらには、コアを設けないものがあり、処理する液体によって適宜なものが選定される。本考案の係止装置は、上記いずれのカートリッジ型フィルタにも使用できる。
【００１０】
カートリッジ型フィルタの係止装置は、コイルバネを内装したカートリッジ蓋とその上部にユニオンリングを介して設けたキャップと、芯棒とからなり、芯棒には下方向の螺旋状で終端部は上方へ案内するガイド溝を設けるとともに、キャップにガイド溝に係合するガイドを設けている。
【００１１】
キャップは、上方へ抜けないように、下端にフランジを設けてこれをカートリッジ蓋の上端部にユニオンリングで止めている。このように構成することにより、係止装置をキャップ、ユニオンリング、コイルバネ、カートリッジ蓋などからなるユニットとすることができ、カートリッジ型フィルタの交換に際して、部品の脱着を必要としない。
なお、必要によりカートリッジ蓋内のＯリングの交換があるが、この作業は、ろ過器のカートリッジ型フィルタの上で行う必要はない。
【００１２】
この係止装置は、キャップを回動させることによりキャップのガイドが芯棒のガイド溝に係合し、カートリッジ蓋をコイルバネを介してフィルタへ押し付けるようにしている。
ガイド溝は、螺旋状で複数本（３本以上）設ける。そして、ガイド溝の終端部は上方へ案内するように形成している。したがって、カートリッジ蓋を外すときは、コイルバネを上方へ案内している分コイルバネを圧縮させなければならないので、係止が緩むことがなく、増し締めなどを必要としない。なお、ガイド溝は、キャップを４５〜８０度回転させたとき下方向へ１０〜２０ｍｍ移動して係止されるようにするとよい。
【考案の効果】
【００１３】
本考案の係止装置は、筒状で上端側に外周ネジが形成された該フィルタの上端に取付けられるカートリッジ蓋と、該カートリッジ蓋の上部に、該外周ネジに螺合するユニオンリングを介して上方には抜けないように保持するとともにコイルバネを介して設けた回動可能なキャップと、芯管内に設けたタイロッドに連結された芯棒とからなり、該芯棒は、その上端側に下方向の螺旋状で終端部は上方へ案内するガイド溝が複数個形成され、該キャップは、その内面に該ガイド溝それぞれに係合するガイドを設けたので、キャップを回動させるだけで、キャップに付設されたガイドがガイド溝と着脱されるので、確実であり素人でも容易に着脱できる。しかも、カートリッジ型フィルタを取り外すときは、カートリッジ蓋、コイルバネおよびキャップがユニットとして着脱できるので、組み付け作業が簡便で、部品をなくすこともない。
【図面の簡単な説明】
【００１４】
【図１】本考案のカートリッジ型フィルタの係止装置を適用するろ過器の全体を示す正面断面図である。
【図２】同、カートリッジ型フィルタの係止装置の断面図である。
【図３】同、係止装置の展開図である。
【図４】同、キャップの内面が見える斜視図、
【図５】同、芯棒の詳細図である。
【考案を実施するための形態】
【００１５】
以下、本考案のカートリッジ型フィルタの係止装置の実施の形態を図面に基いて説明する。
図１は、この係止装置を使用するろ過器の全体を示す正面図で、図２は、係止装置部の断面図である。また、図３は、係止装置の展開図である。
【００１６】
ろ過器は、図１に示すように、架台９の上に載置された容器１内に、カートリッジ型フィルタ７が複数本（ここでは４本）取り付けられ、処理する液をカートリッジ型フィルタ７の外周面から中央部へ通過させることにより処理する液内の不純物を除去している。
２は、容器１へ処理する液を送り込むためのポンプであり、図示していない原液（処理する液）槽にホースで連結されている。
【００１７】
容器１の下部には、基体６が設けられ、これにカートリッジ型フィルタ７が取り付けられている。カートリッジ型フィルタ７の中空部には下端を基体６に固設したタイロッド８が設けられている。
カートリッジ型フィルタ７は、筒状でその中央部にはポリプロピレン製のコア５が挿通されている。なお、カートリッジフィルタ７は、種々のものがあり、処理する液によって選定するが、ここでは糸巻き方式のものを使用している。
【００１８】
カートリッジ型フィルタ７の係止装置１０は、カートリッジ型フィルタ７の上端に設けられ、図２に示すように、カートリッジ蓋１１と、コイルバネ１３と、ユニオンリング１２と、キャップ１４と、芯棒１５とで構成されている。
カートリッジ蓋１１は円筒状に形成され、下端にカートリッジ型フィルタ７を外嵌するフランジ１１ｂを備えている。そして、上端外周面には雄ねじ１１ｃが設けられ、底部には底穴１１ｄが形成されている。
【００１９】
キャップ１４は、袋ナットの如き形状を有しており、上部にハンドル１４ａが設けられ、下端にフランジ１４ｂを有している。そして、内部は図４に示すように、空洞になっており、内壁に突起状のガイド１４ｃが４個、９０度間隔で設けられている。
芯棒１５は、カートリッジ型フィルタ７のコア５内に設けられたタイロッド８の上端にネジ１５ｃで取り付けられ、上部にはキャップ１４のガイド１４ｃのそれぞれが係合する下方向へ螺旋状のガイド溝１５ａが４個設けられている。なお、ガイド溝１５ａの終端部１５ｂはそれぞれ上方へ案内するように形成されている。
ユニオンリング１２は、カートリッジ蓋１１の雄ねじ１１ｃに嵌合する雌ねじ１２ａを有するナット状のもので、キャップ１４が上方へ抜けないように保持する。
【００２０】
係止装置１０の組み立ては、カートリッジ蓋１１の底部にＯリング１６と、これを保持するシール押さえ１７を置き、その上にコイルバネ１３を嵌挿し、キャップ１４の上からハンドル１４ａを潜らせたユニオンリング１２を、該カートリッジ蓋１１の雄ねじへねじ込む。
この組立状態を係止ユニット１０Ａと称することとする。カートリッジ型フィルタ７の交換時はこの状態で使用する。
【００２１】
ろ過器に、カートリッジ型フィルタ７を取り付ける場合は、容器１内の基体６に形成された穴に、カートリッジ型フィルタ７の中空部を合わせて立設する。
次に、係止ユニット１０Ａをカートリッジ型フィルタ７の上端に載せる。この場合、コア５内に位置する芯棒１５の上端がカートリッジ蓋１１の底穴１１ｄを貫通し、カートリッジ蓋１１の上端付近に位置させるようにし、下端のフランジ１１ｂはカートリッジ型フィルタ７の上端外周に嵌合させる。
【００２２】
この状態で、キャップ１４のハンドル１４ａを回動させれば、キャップ１４の４個のガイド１４ｃのそれぞれが、芯棒１５のガイド溝１５ａに係合し、コイルバネ１３に抗してカートリッジ蓋１１を下方へ押し付ける。これにより、カートリッジ型フィルタ７は、強固に保持される。キャップ１４の回動を続けると、キャップ１４のガイド１４ｃは、下方へ傾斜案内する芯棒１５のガイド溝１５ａの終端部１５ｂへ移動するが、これは上方へ案内する。回動を続けると最終端で回動できなくなる。
キャップ１４を緩めるには、コイルバネ１３に抗して、ガイド１４ｃがガイド溝１５ｂからガイド溝１５ａへ移動させなければならないので、常時係止状態が保持される。
【００２３】
カートリッジ型フィルタ７を取り外す場合は、キャップ１４のハンドル１４ａを上記とは逆方向に回動させる。この回動により、キャップ１４のガイド１４ｃは、芯棒１５のガイド溝の終端部１５ｂを移動しガイド溝１５aへ移り、その後、ばねの反発力で自ずからガイド溝１５aから外れ、芯棒１５から離れる。
この状態になると、係止ユニット１０Ａは、カートリッジ型フィルタ７の上端から外すことができる。カートリッジ型フィルタ７を交換したら上記の手順で締め付ければよい。
【符号の説明】
【００２４】
１  容器
２  ポンプ
３  上蓋
３ａ  エア抜き
４  タンク
５  コア
６  基板
７  カートリッジ型フィルタ
８  タイロッド
９  架台
１０  係止装置
１０Ａ  係止ユニット
１１  カートリッジ蓋
１１ａ  ボディ
１１ｂ  フランジ
１１ｃ  外周ネジ
１１ｄ  底穴
１２  ユニオンリング
１２ａ  雌ねじ
１３  コイルバネ
１４  キャップ
１４ａ  ハンドル
１４ｂ  フランジ
１４ｃ  ガイド
１５  芯棒
１５ａ  ガイド溝
１５ｂ  終端部
１５ｃ  ネジ
１６  Ｏリング
１７  シール押さえ
【図１】
0003222460.tif 000003
【図２】
0003222460.tif 000004
【図３】
0003222460.tif 000005
【図４】
0003222460.tif 000006
【図５】
0003222460.tif 000007